(57)【要約】【課題】  適切な映像を記録しながら所望の音声を適切に記録することができる撮像装置を提供する。【解決手段】  ズーム機能切り替え釦１１３の操作により、レンズズーム・マイクズーム連動ズームモード、マイクのみのズームモード及びレンズのみのズームモードの３種のズームモードを選択可能とする。レンズズーム・マイクズーム連動ズームモードでは、マイク１０９の指向性を変化させることによるマイクズームをレンズ１０１のレンズズームに連動させるか、又はレンズズームにマイクズームを連動させる。レンズズームモードでは、マイク１０９のズーム位置を記憶したままレンズ１０１のみのズームを行う。マイクズームモードでは、レンズ１０１のズーム位置を記憶したままマイク１０９のみのズームを行う。但し、撮影中には、連動ズームモードへの移行を禁止することで、不自然な音声及び映像の記録を防止する。【選択図】  図１
2007036875.tif 000002
【特許請求の範囲】
【請求項１】
レンズと、
音声を収音するマイクロホンと、
前記レンズのズーム位置を制御するレンズズーム制御手段と、
前記マイクロホンの指向性を制御するマイク指向性制御手段と、
前記マイクロホンの指向性を固定して、前記レンズのズーム位置を変化させる第１の動作モードと、前記レンズのズーム位置を固定して、前記マイクロホンの指向性を変化させる第２の動作モードと、前記ズーム位置及び前記指向性を互いに連動して変化させる第３の動作モードのいずれかの動作モードで前記レンズズーム制御手段及び前記マイク指向性制御手段を動作させる動作モード切替手段と、
を有することを特徴とする撮像装置。
【請求項２】
前記レンズのズーム位置を検出するズーム位置検出手段を有し、前記動作モード切替手段によって、前記第３のモードに切り替えられている場合には、前記ズーム位置検出手段によって検出した前記レンズのズーム位置に応じて、前記マイク指向性制御手段は前記マイクロホンの指向性を制御することを特徴とする請求項１に記載の撮像装置。
【請求項３】
前記第１乃至第３の動作モードを使用者に切り替えさせる操作部材を有することを特徴とする請求項１又は２に記載の撮像装置。
【請求項４】
前記撮像装置が撮影動作中であるかどうかを判別する判別手段を有し、前記判別手段によって撮影動作中であると判別される場合には、前記動作モード切替手段は、前記第３の動作モードへの切替えを禁止することを特徴とする請求項１乃至３のいずれか１項に記載の撮像装置。
【請求項５】
前記撮像装置が撮影動作中であるかどうかを判別する判別手段を有し、前記判別手段によって撮影動作中であると判別される場合には、前記動作モード切替手段は、前記第１のモードと前記第２のモードとを交互に切替え、前記判別手段によって撮影動作中でないと判別される場合には、前記第１のモード、前記第２のモード、前記第３のモードとを交互に切替えることを特徴とする請求項１乃至４のいずれか１項に記載の撮像装置。
【請求項６】
前記第３の動作モードには、前記マイク指向性制御手段によって制御される前記マイクロホンの指向性に応じて、レンズズーム制御手段よって前記レンズのズーム位置を制御するマイク優先モードと、レンズズーム制御手段よって制御されるズーム位置に応じて、前記マイク指向性制御手段によって前記マイクロホンの指向性を制御するレンズ優先モードを含み、動作モード切替手段によって、前記第３の動作モードに切替えられる場合に、前記マイク優先モードとするか、前記レンズ優先モードとするかを設定する設定手段を有し、前記判別手段によって撮影動作中であると判別される場合には、前記設定手段による設定を禁止することを特徴とする請求項４又は５に記載の撮像装置。
【発明の詳細な説明】
【技術分野】
【０００１】
本発明は、映像及び音声の記録が可能な撮像装置に関する。
【背景技術】
【０００２】
撮像装置であるビデオカメラにおいては、離れた場所の被写体を撮影するためにレンズのズームが可能となっている。但し、多くのビデオカメラでは、マイクから取得される音声に変化を持たせることはしていない。これに対し、例えば特許文献１に、レンズのズームに連動させてマイクの指向性を変化させる技術が開示されている。この技術によれば、マイクズームが行われ、撮影中の映像に対して、より自然な音声を集音することができる。
【０００３】
【特許文献１】特開平９−１７２５６６号公報
【発明の開示】
【発明が解決しようとする課題】
【０００４】
しかしながら、特許文献１に記載のビデオカメラでは、それまでのビデオカメラと同様にレンズのみのズームを独立で行うこと、及びレンズズームにマイクズームを連動させることのみが可能であり、所望の音声を適切に記録することは困難である。
【０００５】
本発明は、適切な映像を記録しながら所望の音声を適切に記録することができる撮像装置を提供することを目的とする。
【課題を解決するための手段】
【０００６】
本願発明者は、前記課題を解決すべく鋭意検討を重ねた結果、以下に示す発明の諸態様に想到した。
【０００７】
本発明に係る撮像装置は、レンズと、音声を収音するマイクロホンと、前記レンズのズーム位置を制御するレンズズーム制御手段と、前記マイクロホンの指向性を制御するマイク指向性制御手段と、前記マイクロホンの指向性を固定して、前記レンズのズーム位置を変化させる第１の動作モードと、前記レンズのズーム位置を固定して、前記マイクロホンの指向性を変化させる第２の動作モードと、前記ズーム位置及び前記指向性を互いに連動して変化させる第３の動作モードのいずれかの動作モードで前記レンズズーム制御手段及び前記マイク指向性制御手段を動作させる動作モード切替手段と、を有することを特徴とする。
【０００８】
本発明においては、第１の動作モードにおいてレンズのズーム位置を変化させ、第２の動作モードにおいてマイクロホンの指向性を変化させ、第３の動作モードにおいてレンズのズーム位置及びマイクロホンの指向性を連動して変化させる。このため、目的の撮影対象の全体をワイドに撮影しながら撮影対象付近の音源を集中的に録音することや、最適と思われる周囲の音を録音しながら目的の撮影対象に対する画角を変化させることが可能である。
【発明の効果】
【０００９】
本発明によれば、映像及び音声の記録を行うに際して、一方の制御を固定しながら他方を制御したり、双方を連動して制御したりすることができる。このため、適切な映像を記録しながら所望の音声を適切に記録することが可能である。
【発明を実施するための最良の形態】
【００１０】
以下、本発明の実施形態について添付の図面を参照して具体的に説明する。
【００１１】
（第１の実施形態）
先ず、本発明の第１の実施形態について説明する。図１は、本発明の第１の実施形態に係るビデオカメラの基本的な構成を示すブロック図である。図１において、１０１はビデオカメラのレンズであり、１０２はレンズ１０１からの映像情報を電圧に変換する撮像素子であり、１０３は撮像素子１０２からのアナログ映像信号をデジタル信号に変換する映像信号アナログ・デジタル変換部（Ａ／Ｄ変換部）である。また、１０４はＡ／Ｄ変換部１０３によりデジタル変換された映像信号に対して所定の信号処理を行い、規格化された映像信号に変換する映像信号処理部であり、１０６はレンズ１０１をズームさせるためのレンズズーム制御部１０６であり、１０７はレンズズーム駆動部１０６によって駆動されたレンズ１０１のズーム位置を検出するレンズズーム位置検出部１０７である。１０９はビデオカメラのマイクであり、１０８はマイク１０９の指向性を変化させるためのマイク指向性制御部である。１１０はマイク１０９からのアナログ音声信号をデジタル信号に変換するアナログ・デジタル変換部（Ａ／Ｄ変換部）であり、１１１はＡ／Ｄ変換部１１０によりデジタル変換された音声信号に対して所定の信号処理を行い、規格化された音声信号に変換する音声信号処理部である。
【００１２】
１０５は、映像信号処理部１０４によって各種処理が行われた映像信号、及び音声信号処理部１１１によって各種処理を行われた音声信号に対して、ビデオテープレコーダー等に記録するのに適した信号に変換するデジタル信号処理部であり、１１２は本実施形態に係るビデオカメラのシステム全体を総合的に制御する制御部（マイクロコンピュータ）１１２である。また、本実施形態には、ズームの対象を、レンズ１０１及びマイク１０９の双方、レンズ１０１のみ、マイク１０９のみの３種類のうちから使用者が選択する際に操作するズーム機能切り替え釦１１３が設けられている。更に、使用者がズームの方向を入力する際に操作するズームキー１１４が設けられている。
【００１３】
このように構成されたビデオカメラにおいては、動作モードとして、
（ａ）マイク１０９のズーム位置を記憶したままレンズ１０１のみのズームを行うレンズズームモード、
（ｂ）レンズ１０１のズーム位置を記憶したままマイク１０９のみのズームを行うマイクズームモード、及び
（ｃ）マイク１０９の指向性を変化させることによるマイクズームをレンズ１０１のレンズズームに連動させるか、又はレンズズームにマイクズームを連動させる連動ズームモード
の３つの動作モードが設けられており、ズーム機能切り替え釦１１３の操作（クリック）の度に、制御部１１２は、夫々のズーム位置を記憶したまま動作モードを連動ズームモード、マイクズームモード、レンズズームモードの順にサイクリックに切り替える。
【００１４】
図２は、ズームモードの切り替え態様を示す模式図である。本実施形態では、図２に示すように、ズーム機能切り替え釦１１３がクリックされる毎に制御部１１２がズームモードを切り替えるが、撮影中は、レンズズームモードから連動モードへの切り替えを禁止する。これは、連動ズームモードへの切り替えを可能とすると、連動ズームモードに切り替えた際に、レンズ１０１及び／又はマイク１０９のズーム位置が急激に変化する虞があり、このような急激な変化が生じると、映像及び／又は音声が不自然に記録されるためである。
【００１５】
ここで、各ズームモードについて説明する。
【００１６】
レンズズームモードでは、制御部１１２に記憶されているマイク１０９のズーム位置情報を記憶してマイク１０９のズーム位置を固定しながら、ズームキー１１４からのズーム信号をレンズズーム制御部１０６にのみに受け渡す。この結果、レンズ１０１のみのズームが行われる。なお、ズーム信号は、リモートコントローラ（図示せず）からのズーム信号であってもよい。
【００１７】
マイクズームモードでは、レンズズーム位置検出部１０７により検出されたレンズ１０１のズーム位置情報を記憶してレンズ１０１のズーム位置を固定しながら、ズームキー１１４からのズーム信号をマイク指向性制御部１０８にのみ受け渡す。この結果、マイク１０９のみのズームが行われる。なお、ズーム信号は、リモートコントローラ（図示せず）からのズーム信号であってもよい。
【００１８】
連動ズームモードでは、２種類の動作が可能である。一方の動作は、マイク１０９のズーム位置にレンズ１０１のズーム位置を合わせるというものであり、他方の動作は、レンズ１０１のズーム位置にマイク１０９のズーム位置を合わせるというものである。この選択は、撮影待機時に、メニュー内に設けた連動ズーム動作設定項目においてズーム動作を選択することにより設定することが可能である。そして、マイク１０９のズーム位置にレンズ１０１のズーム位置を合わせる動作が選択されている場合には、制御部１１２に記憶されているマイク１０９のズーム位置情報をレンズズーム制御部１０６に反映することで、両者のズーム位置を合わせ、マイク・レンズのズームを連動させる。一方、レンズ１０１のズーム位置にマイク１０９のズーム位置を合わせる動作が選択されている場合には、レンズズーム位置検出部１０７により検出されたレンズ１０１のズーム位置情報を制御部１１２が読み込み、これをマイク指向性制御部１０８に反映することで、両者のズーム位置を合わせる。
【００１９】
なお、ズームキー１０４からのズーム信号（又はリモートコントローラからのズーム信号）をレンズズーム制御部１０６に受け渡すことでレンズ１０１のズームを行い、その後、ズーム位置検出部１０７により検出されたレンズ１０１のズーム位置情報を制御部１１２が読み込み、この位置情報をマイク指向性制御部１０８へ受け渡すことでマイク・レンズのズームを連動させてもよい。
【００２０】
また、ズームキー１０４からのズーム信号（又はリモートコントローラからのズーム信号）をマイク指向性制御部１０８に受け渡すことでマイク１０９のズームを行い、その後、制御部１１２に記憶されたマイク１０９のズーム位置情報をレンズズーム制御部１０６へ受け渡すことでマイク・レンズのズームを連動させてもよい。
【００２１】
次に、上述のように構成されたビデオカメラの動作について説明する。図３は、本発明の実施形態に係るビデオカメラの動作を示すフローチャートである。なお、この動作は、主に制御部１１２による制御に基づいて行われる。
【００２２】
ズーム機能切り替え釦１１３がクリックされていない待機状態（ステップＳ２１）において、ズーム機能切り替え釦１１３がクリックされると、ステップＳ２２において、その旨の信号を制御部１１２が受け取る。
【００２３】
制御部１１２は、ズーム機能切り替え釦１１３がクリックされたことを認知すると、ステップＳ２３において、現在のズームモードが連動ズームモードか否かを判別する。現在のズームモードが連動ズームモードであれば、ステップＳ２６へ移行する。ステップＳ２６では、制御部１１２がズームモードをマイクズームモードへと移行する。即ち、レンズ１０１のズーム位置を固定し、マイク指向性制御部１０８にのみズーム信号を受け渡すようにすることでマイクズームモードへ移行する。
【００２４】
ステップＳ２３の条件分岐において、現在のズームモードが連動ズームモードでなければ、ステップＳ２４へ移行する。そして、ステップＳ２４において、現在のズームモードがマイクズームモードか否かを制御部１１２が判別する。現在のズームモードがマイクズームモードであれば、ステップＳ２７へ移行する。ステップＳ２７では、制御部１１２がズームモードをレンズズームモードへ移行する。即ち、マイク１０９のズーム位置を固定し、レンズズーム制御部１０６にのみズーム信号を受け渡すようにすることでレンズズームモードへ移行する。
【００２５】
ステップＳ２４の条件分岐において、現在のズームモードがマイクズームモードでなければ、即ち現在のズームモードがレンズモードであれば、ステップＳ２５へ移行する。そして、ステップＳ２５において、現在のビデオカメラ自身の撮影状況が、撮影中か否かを制御部１１２が判別する。現在のビデオカメラ自身の撮影状況が撮影中であれば、ステップＳ２６へ移行する。ステップＳ２６では、上述のように、制御部１１２がズームモードをマイクズームモードへ移行する。即ち、レンズ１０１のズーム位置を固定し、マイク指向性制御部１０８にのみズーム信号を受け渡すようにすることでマイクズームモードへ移行する。
【００２６】
ステップＳ２５の条件分岐において、現在のビデオカメラ自身の撮影状況が撮影待機中であれば、ステップＳ２８へ移行する。そして、ステップＳ２８において、制御部１１２がズームモードを連動ズームモードへ移行する。このとき、マイク１０９のズーム位置にレンズ１０１のズーム位置を合わせる動作が選択されていれば、ステップＳ２８において、制御部１１２に記憶されているマイク１０９のズーム位置情報をレンズズーム制御部１０６に反映することで、両者のズーム位置を合わせマイク・レンズのズームを連動させる処理を行う。一方、レンズ１０１のズーム位置にマイク１０９のズーム位置を合わせる動作が選択されていれば、ステップＳ２８において、ズーム位置検出部１０７により検出されたレンズ１０１のズーム位置情報を制御部１１２が読み込み、これをマイク指向性制御部１０８に反映することで、両者のズーム位置を合わせマイク・レンズのズームを連動させる処理を行う。
【００２７】
このような本実施形態によれば、任意の画角での音声ズームや、任意の集音状態でのレンズズームを、１つのズームキー１０４を用いて行うことができる。
【００２８】
（第２の実施形態）
次に、本発明の第２の実施形態について説明する。第２の実施形態では、ズームモード切り替え手段として、図１に示す第１の実施形態におけるズーム機能切り替え釦１１３に替えて、撮影中にズームモードが選択可能なファンクションメニュー（ズーム切り替えメニュー）を起動して展開させる機能が設けられている。選択可能なズームモードは、第１の実施形態と同様に、マイクズームモード、レンズズームモード及び連動モードの３種である。
【００２９】
ズームモードの切り替えは、ファンクションメニュー内のズームモード切り替えメニューにおいて、任意のズームモードを選択・設定することで行われる。なお、第１の実施形態と同様に、撮影中はズームモードを連動ズームモードに移行することはできないものとしている。このため、本実施形態においては、撮影待機中と撮影中とでファンクションメニューの内容を切り替える。この内容の切り替えは、例えば、撮影開始釦（図示せず）又はリモートコントローラからの撮影開始・終了信号を制御部１１２が読み込んだ際に行われる。ここで、撮影待機中、撮影中の夫々のファンクションメニューの内容について説明する。
【００３０】
図４は、撮影待機中のファンクションメニューの内容の例を示す模式図である。撮影開始釦又はリモートコントローラからの撮影終了信号を制御部１１２が受け取り、撮影待機状態に移行した後では、ズーム切り替えメニューが起動されると、図４に示すように、連動ズームモード、マイクズームモード及びレンズズームモードの３種が選択可能な態様でズーム切り替えメニューを表示する。連動ズームモード、マイクズームモード及びレンズズームモードの各ズームモードでの動作は第１の実施形態と同様である。
【００３１】
図５は、撮影中のファンクションメニューの内容の例を示す模式図である。撮影開始釦又はリモートコントローラからの撮影開始信号を制御部１１２が受け取り、撮影待機状態に移行した後では、ズーム切り替えメニューが起動されると、図５に示すように、マイクズームモード及びレンズズームモードのみが選択可能な態様でズーム切り替えメニューを表示する。即ち、撮影待機中では表示される連動ズームモードを選択するための文字アイコンを表示しない。
【００３２】
このような第２の実施形態によっても、第１の実施形態と同様の効果が得られる。また、第１の実施形態と比較してハードウェア構成を簡素なものとすることができる。
【００３３】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００３４】
【図１】本発明の第１の実施形態に係るビデオカメラの基本的な構成を示すブロック図である。
【図２】ズームモードの切り替え態様を示す模式図である。
【図３】本発明の実施形態に係るビデオカメラの動作を示すフローチャートである。
【図４】撮影待機中のファンクションメニューの内容の例を示す模式図である。
【図５】撮影中のファンクションメニューの内容の例を示す模式図である。
【符号の説明】
【００３５】
１０１：レンズ
１０２：撮像素子
１０３：映像信号アナログ・デジタル変換部
１０４：映像信号処理部
１０５：デジタル情報処理部
１０６：レンズズーム制御部
１０７：レンズズーム位置検出部
１０８：マイク指向性制御部
１０９：マイクエレメント
１１０：音声信号アナログ・デジタル変換部
１１１：音声信号処理部
１１２：制御部
１１３：ズーム機能切り替え釦
１１４：ズームキー
【図１】
2007036875.tif 000003
【図２】
2007036875.tif 000004
【図３】
2007036875.tif 000005
【図４】
2007036875.tif 000006
【図５】
2007036875.tif 000007